(57)【特許請求の範囲】
【請求項１】
互いに重なる下部、上部マット部材を備え、上記下部マット部材が、三次元的にジグザグ状に屈曲して互いに絡み合わされた樹脂製の弾性細線材を備え、一方、上記上部マット部材が、平面視でハニカム形状となるよう紐材により形成された上、下網体と、上下方向に延びてこれら上、下網体を互いに連結する多数の弾性細線材とを備えた敷きマットにおいて、
上記両マット部材同士の互いの対向面が、その面方向で互いに摺動することを摩擦力で規制する可撓性の滑り止め体を上記両マット部材の間に設けたことを特徴とする敷きマット。
【請求項２】
上記上部マット部材の厚さ方向での圧縮硬さを、下部マット部材のそれよりも大きくしたことを特徴とする請求項１に記載の敷きマット。
【請求項３】
上記滑り止め体を、上記各マット部材とは別体に設けられて水平に延びる樹脂製の網体としたことを特徴とする請求項１、もしくは２に記載の敷きマット。
【請求項４】
上記滑り止め体を、上記両対向面のうち、少なくともいずれか一方の対向面に塗布される軟質樹脂製の滑り止め材としたことを特徴とする請求項１から３のうちいずれか１つに記載の敷きマット。
【請求項５】
上記上部マット部材の対向面に上記滑り止め材を塗布したことを特徴とする請求項４に記載の敷きマット。
【発明の詳細な説明】
【技術分野】
【０００１】
本発明は、その上面に人が寝たり座ったりしたときでも、内部における良好な通気性が維持されるようにした敷きマットに関するものである。
【背景技術】
【０００２】
上記敷きマットには、従来、下記特許文献１に示されるものがある。この公報のものによれば、敷きマットは、互いに重なる下部、上部マット部材と、これらマット部材を一体的に覆うカバー体とを備えている。上記下部マット部材は、三次元的にジグザグ状に屈曲して互いに絡み合わされた樹脂製の弾性細線材を備え、一方、上記上部マット部材は、平面視でハニカム形状となるよう紐材により形成された上、下網体と、上下方向に延びてこれら上、下網体を互いに連結する多数の弾性細線材とを備えている。
【０００３】
そして、上記敷きマットの上面に人が寝たり座ったりした場合、上記敷きマット内の下部、上部マット部材の各内部を流動する空気と上記人との間で熱交換が行われる。これにより、上記敷きマットへの寝心地や座り心地が向上することとされている。
【特許文献１】特開２００５−３１２７６５号公報
【発明の開示】
【発明が解決しようとする課題】
【０００４】
ところで、上記敷きマットの下部、上部マット部材は単に重ね合わされただけの組み合わせ構造とされている。このため、この敷きマットの使用時に、人からの外力などにより、上記カバー体内において、両マット部材同士はその面方向で容易に位置ずれするおそれがある。そして、この位置ずれが生じると、敷きマットへの寝心地等が阻害されることとなって好ましくない。
【０００５】
そこで、上記両マット部材同士の対向面を互いに接着剤で接着させたり、ロープなどで結束させたりして、連結させることが考えられる。しかし、これらマット部材は、上記のようにそれぞれ細線材で構成されているため、これらマット部材を上記のように連結させるということは、強度上、容易でない。
【課題を解決するための手段】
【０００６】
本発明は、上記のような事情に注目してなされたもので、本発明の目的は、敷きマットが互いに重なる下部、上部マット部材を備え、これら両マット部材がそれぞれ弾性細線材で構成された場合において、これら両マット部材同士がその面方向で容易に位置ずれしないようにして、この敷きマットへの寝心地や座り心地が良好に保たれるようにし、かつ、これが簡単な構成で達成されるようにすることである。
【０００７】
請求項１の発明は、互いに重なる下部、上部マット部材７，８を備え、上記下部マット部材７が、三次元的にジグザグ状に屈曲して互いに絡み合わされた樹脂製の弾性細線材１３を備え、一方、上記上部マット部材８が、平面視でハニカム形状となるよう紐材１６により形成された上、下網体１７，１８と、上下方向に延びてこれら上、下網体１７，１８を互いに連結する多数の弾性細線材１９とを備えた敷きマットにおいて、
上記両マット部材７，８同士の互いの対向面９，１０が、その面方向で互いに摺動することを摩擦力で規制する可撓性の滑り止め体１１を上記両マット部材７，８の間に設けたことを特徴とする敷きマットである。
【０００８】
請求項２の発明は、上記上部マット部材８の厚さ方向での圧縮硬さを、下部マット部材７のそれよりも大きくしたことを特徴とする請求項１に記載の敷きマットである。
【０００９】
請求項３の発明は、上記滑り止め体１１を、上記各マット部材７，８とは別体に設けられて水平に延びる樹脂製の網体２３としたことを特徴とする請求項１、もしくは２に記載の敷きマットである。
【００１０】
請求項４の発明は、上記滑り止め体１１を、上記両対向面９，１０のうち、少なくともいずれか一方の対向面９，１０に塗布される軟質樹脂製の滑り止め材２５としたことを特徴とする請求項１から３のうちいずれか１つに記載の敷きマットである。
【００１１】
請求項５の発明は、上記上部マット部材８の対向面１０に上記滑り止め材２５を塗布したことを特徴とする請求項４に記載の敷きマットである。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、互いに重なる下部、上部マット部材を備え、上記下部マット部材が、三次元的にジグザグ状に屈曲して互いに絡み合わされた樹脂製の弾性細線材を備え、一方、上記上部マット部材が、平面視でハニカム形状となるよう紐材により形成された上、下網体と、上下方向に延びてこれら上、下網体を互いに連結する多数の弾性細線材とを備えた敷きマットにおいて、
上記両マット部材同士の互いの対向面が、その面方向で互いに摺動することを摩擦力で規制する可撓性の滑り止め体を上記両マット部材の間に設けている。
【００１５】
このため、上記敷きマットにおいて互いに重ね合わされた両マット部材同士の各対向面がその面方向で互いに自由に摺動する、ということは上記滑り止め体により規制される。よって、敷きマットの使用時に、人からの外力などにより、上記両マット部材がその面方向で容易に位置ずれすることは防止され、この敷きマットへの寝心地や座り心地が良好に保たれる。
【００１６】
また、上記したように、各マット部材はそれぞれ細線材で構成されるため、これら両マット部材を接着剤やロープなどで連結して、これら両マット部材同士の位置ずれを防止する、ということは、強度上、容易でないが、上記発明によれば、両マット部材の互いの位置ずれの防止は、上記した滑り止め体によって容易に達成される。
【００１７】
請求項２の発明は、上記上部マット部材の厚さ方向での圧縮硬さを、下部マット部材のそれよりも大きくしている。
【００１８】
このため、上記上部マット部材は、圧縮硬さが大きい分、その剛性を効果的に向上できることから、敷きマット上の人から上部マット部材に与えられる外力は、この上部マット部材で分散される。よって、上記上部マット部材を介し上記外力が与えられる下部マット部材の一部分に、上記外力が集中して、この一部分が大きく圧縮変形する、ということは防止される。この結果、この敷きマットには良好な通気性が確保され、この敷きマットによる寝心地等が良好に保たれる。
【００１９】
請求項３の発明は、上記滑り止め体を、上記各マット部材とは別体に設けられて水平に延びる樹脂製の網体としている。
【００２０】
このため、上記した両マット部材の位置ずれの防止は、これら両マット部材を加工することなく、単にこれら両マット部材の間に上記滑り止め体を介設することで達成され、つまり、上記両マット部材の位置ずれの防止は、構成上、簡単に達成される。
【００２１】
請求項４の発明は、上記滑り止め体を、上記両対向面のうち、少なくともいずれか一方の対向面に塗布される軟質樹脂製の滑り止め材としている。
【００２２】
このため、上記一方の対向面に滑り止め体である滑り止め材が固定されるため、上記一方の対向面と滑り止め体とが位置ずれすることは確実に防止されると共に、この滑り止め体により、上記両マット部材が位置ずれすることが防止される。よって、上記敷きマットへの寝心地等が、より確実に良好に保たれる。
【００２３】
請求項５の発明は、上記上部マット部材の対向面に上記滑り止め材を塗布している。
【００２４】
このため、上記上部マット部材の対向面を構成している紐材製の下側の網体の外面のうち少なくとも下面や、この下側の網体と細線材との連結部が上記滑り止め材により覆われて保護される。よって、上記網体や、網体と細線材との連結部が下部マット部材の対向面と摺接して早期に損耗する、ということが防止され、つまり、敷きマットの寿命が良好に維持される。
【発明を実施するための最良の形態】
【００２５】
本発明の敷きマットに関し、敷きマットが互いに重なる下部、上部マット部材を備え、これら両マット部材がそれぞれ弾性細線材で構成された場合において、これら両マット部材同士がその面方向で容易に位置ずれしないようにして、この敷きマットへの寝心地や座り心地が良好に保たれるようにし、かつ、これが簡単な構成で達成されるようにする、という目的を実現するため、本発明を実施するための最良の形態は、次の如くである。
【００２６】
即ち、敷きマットは、互いに重なる下部、上部マット部材を備え、上記下部マット部材が、三次元的にジグザグ状に屈曲して互いに絡み合わされた樹脂製の弾性細線材を備え、一方、上記上部マット部材が、平面視でハニカム形状となるよう紐材により形成された上、下網体と、上下方向に延びてこれら上、下網体を互いに連結する多数の弾性細線材とを備えている。上記両マット部材同士の互いの対向面が、その面方向で互いに摺動することを摩擦力で規制する可撓性の滑り止め体を上記両マット部材の間に設けている。
【実施例】
【００２７】
本発明をより詳細に説明するために、その実施例を添付の図に従って説明する。
【００２８】
図において、符号１は、空気流動式のマット装置であり、このマット装置１は、通気性のある敷きマット２と、この敷きマット２の内部に熱交換用の空気３を供給して、流動させる熱交換機４とを備えている。
【００２９】
上記敷きマット２は、水平かつ平坦に延び、通気性および弾性を有して上、下に重ねられる下部、上部マット部材７，８と、これら両マット部材７，８同士の互いの対向面９，１０が、その面方向で互いに摺動することを摩擦力で規制するようこれら両マット部材７，８の間に介設される可撓性の滑り止め体１１と、上記両マット部材７，８および滑り止め体１１を全体的に開閉可能に覆う非通性のカバー体１２とを備えている。上記滑り止め体１１は水平に延び、上記各対向面９，１０にそれぞれ全体的に接している。
【００３０】
上記各マット部材７，８、滑り止め体１１、およびカバー体１２は、平面視でそれぞれほぼ同形同大の長方形状をなしている。上記各マット部材７，８の幅、長さ、厚さは、５０〜７０ｃｍ、１７０〜１９０ｃｍ、２０〜５０ｃｍとされる。但し、この数値や、以下に説明の各数値は、これらに限定されるものではない。
【００３１】
上記下部マット部材７は、単数もしくは複数のポリエステル樹脂製の弾性細線材１３を三次元的にジグザグ状に屈曲させて互いに絡み合わせたものである。また、この下部マット部材７に所定の通気性を確保する上で、空隙率は８０％以上とされている。また、上記下部マット部材７に対するその厚さ方向における外力を２０００Ｎ／ｍ２とした場合、弾性変形後の厚さ／元の厚さ＝６０％以上とされている。
【００３２】
一方、上記上部マット部材８は、平面視でハニカム形状となるよう紐材１６により形成された上、下網体１７，１８と、上下方向に延びてこれら上、下網体１７，１８を互いに連結する多数の樹脂製の弾性細線材１９とを備えている。上記各網体１７，１８は、それぞれ平面視で互いに同形同大の６角形状をなす上記紐材１６製の枠体２０を多数有し、これら枠体２０は水平方向に規則正しく連設され、かつ、互いに一体的に連結されている。なお、上記したハニカム形状を形成する枠体２０は、厳密な６角形である必要はなく、この枠体２０は４角形状であってもよい。
【００３３】
上記上部マット部材８の厚さ方向での圧縮硬さは、下部マット部材７のそれよりも大きくされている。この硬さの検証は、ＪＩＳ  Ｋ６４００−２−２００４  Ｄ法による硬さ試験に準拠して圧縮硬さを確認した。なお、上部マット部材８の圧縮硬さは、下部マット部材７のそれの２倍以上であることが好ましく、５〜１５倍であることがより好ましい。
【００３４】
上記滑り止め体１１は、上記各マット部材７，８とは別体に設けられて水平に延びる樹脂製の網体２３とされている。この網体２３は、高強力ポリエステル樹脂製繊維により形成された網体基材２４の表面に、軟質の塩化ビニル等樹脂製の滑り止め材２５を強固にコーティングしたものである。上記網体２３の縦、横の密度（本／ｃｍ）は３〜７とされている。これにより、この網体２３に良好な通気性が確保される。また、単位面積当りの質量（ｇｒ／ｍ２）は４５０〜５５０とされている。また、上記滑り止め材２５の静摩擦係数は０．７以上とされるが、１．０以上であることがより好ましい。ここで、この静摩擦係数の測定は、ＪＩＳ  Ｋ７１２５を準用して判定したものである。
【００３５】
なお、上記滑り止め体１１は、表面に滑り止め材２５がコーティングされるなどして静摩擦係数の大きいシートやマット部材であってもよい。また、上記滑り止め体１１は、上記網体２３に代え、もしくは、これと共に、上記両対向面９，１０に塗布される上記滑り止め材２５であってもよい。この場合、この滑り止め材２５の塗布は、上記両対向面９，１０のうち、いずれか一方のみであってもよい。
【００３６】
前記カバー体１２は、非通気性の樹脂繊維シート製であるが、人体の湿気を透過させて上記マット部材７，８側に吸湿させる一方、人体の温度を放熱させる作用を有するものである。
【００３７】
上記マット装置１における熱交換機４を作動させれば、この熱交換機４から吐出される空気３は、上記敷きマット２の長手方向の一端部内に供給される。上記空気３は、上記敷きマット２の内部の各マット部材７，８の内部を流動して、敷きマット２の長手方向の他端部内から大気に排出され、もしくは、上記熱交換機４に戻される。
【００３８】
そして、上記各マット部材７，８の内部を流動する空気３と、上記敷きマット２の上面に寝たり座ったりした人との間で熱交換が行われて、上記敷きマット２への寝心地や座り心地が向上させられるようになっている。
【００３９】
上記構成によれば、両マット部材７，８同士の互いの対向面９，１０が、その面方向で互いに摺動することを摩擦力で規制する可撓性の滑り止め体１１を上記両マット部材７，８の間に設けている。
【００４０】
このため、上記敷きマット２において互いに重ね合わされた両マット部材７，８同士の各対向面９，１０がその面方向で互いに自由に摺動する、ということは上記滑り止め体１１により規制される。よって、敷きマット２の使用時に、人からの外力などにより、上記両マット部材７，８がその面方向で容易に位置ずれすることは防止され、この敷きマット２への寝心地や座り心地が良好に保たれる。
【００４１】
また、上記したように、各マット部材７，８はそれぞれ細線材１３，１９で構成されるため、これら両マット部材７，８を接着剤やロープなどで連結してこれら両マット部材７，８同士の位置ずれを防止する、ということは、強度上、容易でないが、上記構成によれば、両マット部材７，８の互いの位置ずれの防止は、上記した滑り止め体１１によって容易に達成される。
【００４２】
また、前記したように、上部マット部材８の厚さ方向での圧縮硬さを、下部マット部材７のそれよりも大きくしている。
【００４３】
このため、上記上部マット部材８は、圧縮硬さが大きい分、その剛性を効果的に向上できることから、敷きマット２上の人から上記上部マット部材８に与えられる外力は、この上部マット部材８で分散される。よって、上記上部マット部材８を介し上記外力が与えられる下部マット部材７の一部分に、上記外力が集中して、この一部分が大きく圧縮変形する、ということは防止される。この結果、この敷きマット２には良好な通気性が確保され、この敷きマット２による寝心地等が良好に保たれる。
【００４４】
また、前記したように、滑り止め体１１を、上記各マット部材７，８とは別体に設けられて水平に延びる樹脂製の網体２３としている。
【００４５】
このため、上記した両マット部材７，８の位置ずれの防止は、これら両マット部材７，８を加工することなく、単にこれら両マット部材７，８の間に上記滑り止め体１１を介設することで達成され、つまり、上記両マット部材７，８の位置ずれの防止は、構成上、簡単に達成される。
【００４６】
また、前記したように、滑り止め体１１を、上記両対向面９，１０のうち、少なくともいずれか一方の対向面９，１０に塗布される軟質樹脂製の滑り止め材２５としている。
【００４７】
このため、上記一方の対向面９，１０に滑り止め体１１である滑り止め材２５が固定されるため、上記一方の対向面９，１０と滑り止め体１１とが位置ずれすることは確実に防止されると共に、この滑り止め体１１により、上記両マット部材７，８が位置ずれすることが防止される。よって、上記敷きマット２への寝心地等が、より確実に良好に保たれる。
【００４８】
また、前記したように、上部マット部材８の対向面１０に上記滑り止め材２５を塗布している。
【００４９】
このため、上記上部マット部材８の対向面１０を構成している紐材１６製の下側の網体１８の外面のうち少なくとも下面や、この下側の網体１８と細線材１９との連結部が上記滑り止め材２５により覆われて保護される。よって、上記網体１８や、網体１８と細線材１９との連結部が下部マット部材７の対向面９と摺接して早期に損耗する、ということが防止され、つまり、敷きマット２の寿命が良好に維持される。
【００５０】
なお、上記下部マット部材７の上、下面に通気用溝を格子形状や縞形状となるよう形成してもよい。また、この場合、この通気用溝の横断面を山形形状や円弧凹形状にしてもよい。また、上記下部マット部材７の下面に、上記上部マット部材８と同構造のマット部材を重ねてもよい。
【図面の簡単な説明】
【００５１】
【図１】マット装置の全体斜視部分破断図である。
【図２】図１のII−II線矢視拡大断面図である。
【図３】図２のIII−III線矢視部分拡大図である。
【図４】上部マット部材の部分拡大斜視図である。
【符号の説明】
【００５２】
１    マット装置
２    敷きマット
３    空気
４    熱交換機
７    マット部材
８    マット部材
９    対向面
１０  対向面
１１  滑り止め体
１２  カバー体
１３  細線材
１６  紐材
１７  網体
１８  網体
１９  細線材
２０  枠体
２３  網体
２４  網体基材
２５  滑り止め材
【図１】
0005342765.tif 000002
【図２】
0005342765.tif 000003
【図３】
0005342765.tif 000004
【図４】
0005342765.tif 000005